(57)【特許請求の範囲】
【請求項１】
複数回線分の接続端子を有したファクシミリ装置であって、Ｖ３４モデムモードをオンするオン機能の有無が前記回線の回線種別毎に設定されたオン機能設定テーブルと、発呼する前記回線の回線種別の設定をチェックしてオン機能が設定されていればＶ３４モデムモードをオンするモード切替手段と、を具備したファクシミリ装置。
【請求項２】
複数回線分の接続端子を有したファクシミリ装置であって、Ｖ３４モデムモードをオンさせる前記回線の発呼識別番号が登録された発呼識別テーブルと、Ｖ３４モデムモードをオンするオン機能の有無が前記回線の回線種別毎に設定されたオン機能設定テーブルと、発呼する前記回線の回線種別にオン機能が設定されていた場合に登録された発呼識別番号と発呼されたダイヤルデータとを照合して一致したらＶ３４モデムモードをオンするモード切替手段と、を具備したファクシミリ装置。
【請求項３】
前記回線の回線種別によってはダイヤル照合をしない旨を設定し、発呼する前記回線の回線種別にオン機能が設定されていて、かつダイヤル照合しない旨が設定されていれば、ダイヤル照合することなくＶ３４モデムモードをオンすることを特徴とする請求項２記載のファクシミリ装置。
【請求項４】
複数回線分の接続端子を有したファクシミリ装置であって、Ｖ３４モデムモードをオフするオフ機能の有無が前記回線の回線種別毎に設定されたオフ機能設定テーブルと、発呼する前記回線の回線種別の設定をチェックしてオフ機能が設定されていればＶ３４モデムモードをオフするモード切替手段と、を具備したファクシミリ装置。
【請求項５】
複数回線分の接続端子を有したファクシミリ装置であって、Ｖ３４モデムモードをオフする前記回線の発呼識別番号が登録された発呼識別テーブルと、Ｖ３４モデムモードをオフするオフ機能の有無が前記回線の回線種別毎に設定されたオフ機能設定テーブルと、発呼する前記回線の回線種別にオフ機能が設定されている場合に登録された発呼識別番号と発呼されたダイヤルデータとを照合して一致したらＶ３４モデムモードをオフするモード切替手段と、を具備したファクシミリ装置。
【請求項６】
前記回線の回線種別によってはダイヤル照合をしない旨を設定し、発呼する前記回線の回線種別にオフ機能が設定されていて、かつダイヤル照合しない旨が設定されていれば、ダイヤル照合することなくＶ３４モデムモードをオフすることを特徴とする請求項５記載のファクシミリ装置。
【請求項７】
複数回線分の接続端子を有したファクシミリ装置であって、Ｖ３４モデムモードのオン機能／オフ機能の有無が前記回線の回線種別毎に設定されたオン／オフ機能設定テーブルと、発呼する前記回線の回線種別の設定をチェックしてオン機能が設定されていればＶ３４モデムモードをオンする第１のモード切替手段と、発呼する前記回線の回線種別の設定をチェックしてオフ機能が設定されていればＶ３４モデムモードをオフする第２のモード切替手段と、を具備したファクシミリ装置。
【請求項８】
複数回線分の接続端子を有したファクシミリ装置であって、Ｖ３４モデムモードをオンさせる前記回線の発呼識別番号が登録された第１の発呼識別テーブルと、Ｖ３４モデムモードをオフさせる前記回線の発呼識別番号が登録された第２の発呼識別テーブルと、Ｖ３４モデムモードのオン機能／オフ機能の有無が前記回線の回線種別毎に設定されたオン／オフ機能設定テーブルと、発呼された前記回線の回線種別にオン機能が設定されていて前記第１の発呼識別テーブルの発呼識別番号と発呼されたダイヤルデータとを照合した結果一致していればＶ３４モデムモードをオンする第１のモード切替手段と、発呼された前記回線の回線種別にオフ機能が設定されていて前記第２の発呼識別テーブルの発呼識別番号と発呼されたダイヤルデータとを照合した結果一致していればＶ３４モデムモードをオフする第２のモード切替手段と、を具備したファクシミリ装置。
【請求項９】
第１の発呼識別テーブルにＶ３４モデムモードをオフさせる前記回線の発呼識別番号を登録し、第２のモード切替手段がＶ３４モデムモードをオフさせるために前記第１の発呼識別テーブルの発呼識別番号を使用することを特徴とする請求項８記載のファクシミリ装置。
【請求項１０】
発呼ダイヤルの先頭に数字が現れるまでチェックポイントをずらすことを特徴とする請求項１乃至請求項９のいずれかに記載のファクシミリ装置。
【発明の詳細な説明】
【０００１】
【発明の属する技術分野】
本発明は、モデムモードを切替えるモデム制御機能を有したファクシミリ装置に関する。
【０００２】
【従来の技術】
事業所等の複数の拠点を専用線で接続し、拠点間のデータ伝送を専用線及び公衆電話網（ＰＳＴＮ）を介して行えるようにしたものがある。このような通信システムでは、回線を効率よく使用するために、専用線に設けたＴＤＭ（時分割多重化装置）にて８Ｋ−ＣＥＬＰ、１６Ｋ−ＣＥＬＰ等の音声圧縮形式で帯域圧縮して一つの伝送路に複数のチャネルを多重化することが多い。
【０００３】
図９は専用線及び公衆電話網で接続された拠点間でファクシミリ通信を行う場合を示している。一方の拠点ＡのＦＡＸ１から他の拠点ＢのＦＡＸ３へ発呼する場合、拠点ＡのＦＡＸ１から出力した手順信号がＰＢＸ（Ａ）とＴＤＭ（Ａ）との間に設けたＦＡＸモデム（Ａ）からデジタル回線上に送出される。もう一方の拠点Ｂ側のＰＢＸ（Ｂ）とＴＤＭ（Ｂ）との間に設けたＦＡＸモデム（Ｂ）がその手順信号を検出して専用線のデジタル回線をＦＡＸモデム側に接続する。そして、ＦＡＸモデム（Ａ）（Ｂ）がデジタル回線で手順を実行してＦＡＸ１とＦＡＸ３の通信を中継する。
【０００４】
ところで、ファクシミリ装置に搭載されるモデムは、ＩＴＵ（国際電気通信連合）勧告でモデムモードが標準化されており、勧告Ｖ１７に準拠して動作するモデムから発信される手順信号はＴＤＭで１回線あたり１６ｋｂｐｓ又は８ｋｂｐｓに帯域圧縮していても相手ＦＡＸモデムが検出することができた。
【０００５】
一方、最近ではＩＴＵから３３．６ｋｂｐｓといった高速通信可能なモデムモードが勧告Ｖ３４として出されており、一部で勧告Ｖ１７のファクシミリ装置が勧告Ｖ３４のファクシミリ装置に置き換えられている。
【０００６】
【発明が解決しようとする課題】
しかしながら、勧告Ｖ３４のモデムを搭載したファクシミリ装置から３３．６ｋｂｐｓといった帯域の広い信号を、１６ｋｂｐｓ又は８ｋｂｐｓに帯域圧縮した専用線のデジタル回線に送出しても、勧告Ｖ３４の信号の帯域が大き過ぎるために帯域圧縮したデジタル回線を通りずらく、相手のＦＡＸモデムで手順信号を検出できずに通信エラーになる場合があった。
【０００７】
従来のファクシミリ装置は、全回線の通信について勧告Ｖ３４モデムをオフする機能しかなかったので、勧告Ｖ３４の信号の通らない回線がある場合は、勧告Ｖ３４モデムをオフして使用していたために、勧告Ｖ３４モデムの高速通信という特性を十分に生かすことができなかった。
【０００８】
本発明は以上のような実情に鑑みてなされたもので、勧告Ｖ３４モデムをオフにする通信を最小限に留めることにより、勧告Ｖ３４モデムの特性を可能な限り活用することのできるファクシミリ装置を提供することを目的とする。
【０００９】
【課題を解決するための手段】
上記課題を解決するために、以下のような手段を講じている。
請求項１記載の発明は、複数回線分の接続端子を有したファクシミリ装置であって、Ｖ３４モデムモードをオンするオン機能の有無が前記回線の回線種別毎に設定されたオン機能設定テーブルと、発呼する前記回線の回線種別の設定をチェックしてオン機能が設定されていればＶ３４モデムモードをオンするモード切替手段と、を具備したファクシミリ装置である。
本発明によれば、公衆電話網だけが接続された外線のように、その外線に割り付けられた電話番号であれば全て勧告Ｖ３４によるファクシミリ通信ができるという場合、ダイヤル照合することなく勧告Ｖ３４のモデムモードへ切替ることができ、ダイヤル照合という余計な処理を省くことができる。
【００１４】
請求項２記載の発明は、複数回線分の接続端子を有したファクシミリ装置であって、Ｖ３４モデムモードをオンさせる前記回線の発呼識別番号が登録された発呼識別テーブルと、Ｖ３４モデムモードをオンするオン機能の有無が前記回線の回線種別毎に設定されたオン機能設定テーブルと、発呼する前記回線の回線種別にオン機能が設定されていた場合に登録された発呼識別番号と発呼されたダイヤルデータとを照合して一致したらＶ３４モデムモードをオンするモード切替手段と、を具備したファクシミリ装置である。
【００１５】
本発明によれば、内線等のある回線種別に割り付けられた電話番号のうち一部の電話番号だけが勧告Ｖ３４のモデムモードで通信可能な場合、勧告Ｖ３４のモデムを搭載した一部のファクシミリ装置のダイヤル番号（一部又は全部）を発呼識別番号として登録し、かつ内線の回線種別にオン機能を設定することにより、同一の回線種別に勧告Ｖ１７と勧告Ｖ３４のファクシミリ装置が同時に割り付けられていても、一部の勧告Ｖ３４のファクシミリ装置に対してだけ勧告Ｖ３４で通信できる。
【００１６】
請求項３記載の発明は、請求項２記載のファクシミリ装置において、前記回線の回線種別によってはダイヤル照合をしない旨を設定し、発呼する前記回線の回線種別にオン機能が設定されていて、かつダイヤル照合しない旨が設定されていれば、ダイヤル照合することなくＶ３４モデムモードをオンすることを特徴とするファクシミリ装置である。
【００１７】
本発明によれば、ある回線種別は割り付けられている全ての電話番号で勧告Ｖ３４によるファクシミリ通信が可能で、他のある回線種別は電話番号に勧告Ｖ１７と勧告Ｖ３４のファクシミリ装置の電話番号が割り付けられている場合に、オン機能の設定を確認するだけでダイヤル照合せずに勧告Ｖ３４のモデムモードをオンさせたり、ある回線種別では一部のファクシミリ装置に対してだけ勧告Ｖ３４のモデムモードをオンさせるといった機能を、回線種別毎に使い分けることができる。
【００２０】
請求項４記載の発明は、複数回線分の接続端子を有したファクシミリ装置であって、Ｖ３４モデムモードをオフするオフ機能の有無が前記回線の回線種別毎に設定されたオフ機能設定テーブルと、発呼する前記回線の回線種別の設定をチェックしてオフ機能が設定されていればＶ３４モデムモードをオフするモード切替手段と、を具備したファクシミリ装置である。
【００２１】
本発明によれば、ある回線種別（例えば社内ネットワーク回線の専用線に直接接続された外線）には勧告Ｖ３４で通信可能な電話番号が一つも割り付けられていない場合、ダイヤル番号の照合をすることなく、勧告Ｖ３４のモデムモードをオフして勧告Ｖ１７のモデムモードによる通信に切替えることができ、ダイヤル照合といった余計な処理を省くことができる。
【００２２】
請求項５記載の発明は、複数回線分の接続端子を有したファクシミリ装置であって、Ｖ３４モデムモードをオフする前記回線の発呼識別番号が登録された発呼識別テーブルと、Ｖ３４モデムモードをオフするオフ機能の有無が前記回線の回線種別毎に設定されたオフ機能設定テーブルと、発呼する前記回線の回線種別にオフ機能が設定されている場合に登録された発呼識別番号と発呼されたダイヤルデータとを照合して一致したらＶ３４モデムモードをオフするモード切替手段と、を具備したファクシミリ装置である。
【００２３】
本発明によれば、オフ機能が設定された回線種別に勧告Ｖ３４の通信が可能なファクシミリ装置が割り付けられている場合、それらのファクシミリ装置を発呼識別番号から除外することで、勧告Ｖ３４によるファクシミリ通信が可能になり、勧告Ｖ３４のファクシミリ装置の機能を最大限に活用できる。
【００２４】
請求項６記載の発明は、請求項５記載のファクシミリ装置において、前記回線の回線種別によってはダイヤル照合をしない旨を設定し、発呼する前記回線の回線種別にオフ機能が設定されていて、かつダイヤル照合しない旨が設定されていれば、ダイヤル照合することなくＶ３４モデムモードをオフすることを特徴とするファクシミリ装置である。
【００２５】
本発明によれば、ある回線種別は全ての電話番号が勧告Ｖ３４によるファクシミリ通信が可能で、他のある回線種別に割り付けられている電話番号に勧告Ｖ１７と勧告Ｖ３４のファクシミリ装置が存在する場合に、回線種別毎にダイヤル照合せずにオフ機能の設定だけで勧告Ｖ３４のモデムモードをオフさせたり、同一の回線種別に割り付けられた勧告Ｖ３４のモデムを搭載していない一部のファクシミリ装置に対してだけ勧告Ｖ３４のモデムモードをオフした通信ができるようになる。
【００２６】
請求項７記載の発明は、複数回線分の接続端子を有したファクシミリ装置であって、Ｖ３４モデムモードのオン機能／オフ機能の有無が前記回線の回線種別毎に設定されたオン／オフ機能設定テーブルと、発呼する前記回線の回線種別の設定をチェックしてオン機能が設定されていればＶ３４モデムモードをオンする第１のモード切替手段と、発呼する前記回線の回線種別の設定をチェックしてオフ機能が設定されていればＶ３４モデムモードをオフする第２のモード切替手段と、を具備したファクシミリ装置である。
【００２７】
本発明によれば、複数の回線種別を登録可能なファクシミリ装置の場合で、ある回線種別については勧告Ｖ３４のモデムモードを主体とした通信を行い、又ある回線種別については勧告Ｖ１７モデムモードを主体とした通信を行いたいときに、それぞれの回線種別の特性に合わせて勧告Ｖ３４のモデムモードのオン機能またはオフ機能の設定が可能になる。
【００２８】
請求項８記載の発明は、複数回線分の接続端子を有したファクシミリ装置であって、Ｖ３４モデムモードをオンさせる前記回線の発呼識別番号が登録された第１の発呼識別テーブルと、Ｖ３４モデムモードをオフさせる前記回線の発呼識別番号が登録された第２の発呼識別テーブルと、Ｖ３４モデムモードのオン機能／オフ機能の有無が前記回線の回線種別毎に設定されたオン／オフ機能設定テーブルと、発呼された前記回線の回線種別にオン機能が設定されていて前記第１の発呼識別テーブルの発呼識別番号と発呼されたダイヤルデータとを照合した結果一致していればＶ３４モデムモードをオンする第１のモード切替手段と、発呼された前記回線の回線種別にオフ機能が設定されていて前記第２の発呼識別テーブルの発呼識別番号と発呼されたダイヤルデータとを照合した結果一致していればＶ３４モデムモードをオフする第２のモード切替手段と、を具備したファクシミリ装置である。
【００２９】
本発明によれば、回線種別の特性に合わせて勧告Ｖ３４のモデムモードのオン機能またはオフ機能のいずれかを設定でき、さらにダイヤル照合によって勧告Ｖ３４のモデムモードをオンしたりオフできるので、回線種別毎に勧告Ｖ３４のモデムモードのオン／オフの切替えを細かく設定できる。
【００３０】
請求項９記載の発明は、請求項８記載のファクシミリ装置において、第１の発呼識別テーブルにＶ３４モデムモードをオフさせる前記回線の発呼識別番号を登録し、第２のモード切替手段がＶ３４モデムモードをオフさせるために前記第１の発呼識別テーブルの発呼識別番号を使用することを特徴とするファクシミリ装置である。
【００３１】
本発明によれば、オン機能用に備えた第１の発呼識別テーブルのメモリ資源をオフ機能のメモリ資源として用いることができるので、オフ機能を作動させる回線種別や発呼識別番号の対象範囲を拡大できる。
【００３２】
請求項１０記載の発明は、請求項１乃至請求項９のいずれかに記載のファクシミリ装置において、発呼ダイヤルの先頭に数字が現れるまでチェックポイントをずらすことを特徴とするファクシミリ装置である。
【００３３】
本発明によれば、ダイヤル番号本来の数字の前に回線種別の識別又は発呼識別番号の識別に関係しない記号が入る設定の場合であっても、正確にダイヤル番号を認識できる。
【００３４】
【発明の実施の形態】
以下、本発明の実施の形態について図面を参照して説明する。
図１は実施の形態となるファクシミリ装置の機能ブロック構成を示している。このファクシミリ装置は、オペレータが操作パネルから入力したダイヤルデータをパネル制御回路１１が検出してメイン制御部１２に通知される。操作パネルからダイヤルデータとしてワンタッチダイヤル又は短縮ダイヤルが入力された場合は、ワンタッチダイヤル／短縮ダイヤル番号がメイン制御部１２に通知される。
【００３５】
メイン制御部１２は、登録データ格納メモリ１３から発呼動作に必要なデータを取り出して発呼動作情報として制御用メモリ１４に展開する。展開した発呼動作情報に基づいてＮＣＵ１５が所定の回線種別（外線、内線）を通して公衆電話網等の回線に接続する。メイン制御部１２が発生させた発呼要求をモデム１６がモデムモードに従って変調してＮＣＵ１５で接続している回線に送出することにより相手ファクシミリ装置に発呼する。
【００３６】
このとき、モデム１６のモデムモードは回線に応じてメイン制御部１２が切替える。そのため、メイン制御部１２にワンタッチダイヤル／短縮ダイヤル番号の通知があったときに、登録データ格納メモリ１３からモデムモードの切替えの要否を判断するのに必要なデータを取り出している。取り出したデータをもとに、これから発呼する回線に応じたモデムモードを判断している。
【００３７】
また、メイン制御部１２は、モデムモード及び発呼ダイヤルが確定すると、読取／記憶制御回路１７に読取り指示を出して原稿を読取らせる。読取った原稿データは符号／復号化制御回路１８へ入力されて符号化された後、画情報用メモリ１９に一時的に保存される。ＮＣＵ１５の回線接続が完了して送信準備が整ってから画情報用メモリ１９に保存した原稿データを再び符号／復号化制御回路１８へ入力して所定形式で復号化する。モデム１６が所定のモデムモードにしたがって原稿データを変調し、ＮＣＵ１５の接続している回線上に送出する。
【００３８】
ファクシミリ装置のメイン基板にはＮＣＵ１５から電話回線網の回線に接続される２回線分の端子が装備されており、２つの端子を外線１及び内線として使うことができる。また、メイン基板にＧ３オプション基板２１又はＧ４オプション基板２２を取り付けることにより、  ＮＣＵ１５から電話回線網の回線に接続される端子を２回線から３回線又４回線に拡張できる。Ｇ３オプション基板２１によって増設した端子は外線２として使用でき、またＧ４オプション基板２２によって増設した２本の端子はＧ３及びＧ４用として使用できる。
【００３９】
以下の説明では、ファクシミリ装置が勧告Ｖ１７以下のモデムモードで通常は通信を行い、勧告Ｖ３４のモデムモードで通信できる回線に発呼する場合にモデムモードを勧告Ｖ３４へ切替える機能をＶ３４オン機能と呼び、勧告Ｖ３４のモデムモードで通信できる回線の発呼識別番号をＶ３４オン照合データと呼ぶ。また、ファクシミリ装置が勧告Ｖ３４のモデムモードで通常は通信を行い、勧告Ｖ３４のモデムモードで通信できない回線に発呼する場合にモデムモードを勧告Ｖ１７以下へ切替える機能をＶ３４オフ機能と呼び、勧告Ｖ３４のモデムモードで通信できない回線の発呼識別番号をＶ３４オフ照合データと呼ぶ。
【００４０】
図２は登録データ格納メモリ１３に格納された登録データ内容を示している。登録データ格納メモリ１３には、Ｖ３４オン／オフ照合データ登録設定格納エリア２３、オン機能側ビット設定エリア２４、オフ機能側ビット設定エリア２５、短縮ダイヤル登録テーブル格納エリア２６、ワンタッチダイヤル登録テーブル格納エリア２７が設けられている。
【００４１】
Ｖ３４オン／オフ照合データ登録設定格納エリア２３には、発呼ダイヤルの先頭から何桁までを発呼識別番号として使用するか指定するＶ３４オフ照合データ登録桁数エリア及びＶ３４オン照合データの登録桁数エリア、Ｖ３４オフ照合データを設定するＶ３４オフ照合データ格納エリア、Ｖ３４オン照合データを設定するＶ３４オン照合データ格納エリアが設けられている。また、オフ機能を強化するためにＶ３４オン照合データ格納エリアにＶ３４オフ照合データを登録したことを示すデータを設定するオフ照合使用設定格納エリアが設けられている。Ｖ３４オフ照合データ格納エリア、Ｖ３４オン照合データ格納エリアで発呼識別テーブルを構成している。
【００４２】
オン機能側ビット設定エリア２４には、内線、外線１、外線２、Ｇ３（ＩＳＤＮ）といった回線種別毎にＶ３４オン機能の有無を登録しており、オフ機能側ビット設定エリア２５には、回線種別毎にＶ３４オフ機能の有無を登録している。例えば、図８に示すように、回線種別に内線、外線があり、外線に勧告Ｖ３４の信号が通らない専用線を通るダイヤル番号と勧告Ｖ３４の信号が通るＰＳＴＮを通る電話番号が割り付けられている場合、外線にはＶ３４オン機能有を設定する。また、内線は全ての通信が勧告Ｖ３４で可能な状況であればＶ３４オン機能有を設定する。回線とオン機能側ビット設定エリア２４でオン機能設定テーブルを構成し、オフ機能側ビット設定エリア２５でオフ機能設定テーブルを構成している。
【００４３】
短縮ダイヤル登録テーブル格納エリア２６は、短縮ダイヤル毎に発呼ダイヤル番号とそのダイヤル番号を割り付けている発呼回線種別とが登録されている。図３に格納エリア２６に設けられた短縮ダイヤル登録テーブルの構成を示す。ワンタッチダイヤル登録テーブル格納エリア２７にも、ワンタッチダイヤル毎に発呼ダイヤル番号とそのダイヤル番号を割り付けている発呼回線種別とが登録されている。図４は登録データ格納メモリ１３から発呼ダイヤル情報、発呼回線種別情報を制御用メモリ１４に展開した状態を示している。
【００４４】
次に、上記ファクシミリ装置に備えたＶ３４オン機能について説明する。
Ｖ３４オン／オフ照合データ登録設定格納エリア２３のＶ３４オン照合データ登録桁数格納エリアに桁数を設定しておく。例えば、内線発信、外線発信、特番発信といった回線種別単位で勧告Ｖ３４のモデムモードをオンすることを判断するのであれば、発呼ダイヤルの先頭１桁だけでよいので、桁数は１を設定する。回線種別単位ではなく、同一回線種別に割り付けられた特定の発呼ダイヤルだけＶ３４オン機能をオンしたいのであれば、その特定の発呼ダイヤルの属性（地域、グループ等）を識別可能な桁数を設定する。Ｖ３４オン照合データ格納エリアには、発呼ダイヤルの先頭から設定桁数までの数値を設定する。
【００４５】
オン機能側ビット設定エリア２４の登録回線種別にＶ３４オン機能の有無を設定する。例えば、図８に示すように内線に割り付けられた発呼ダイヤルは全て勧告Ｖ３４による通信が可能であれば、Ｖ３４オン機能を有に設定する。また、回線種別に割り付けられた発呼ダイヤルのうち一部のみが勧告Ｖ３４による通信が可能の場合も、  Ｖ３４オン照合データにより識別が可能であれば、Ｖ３４オン機能を有に設定する。
【００４６】
図５乃至図７に示すフローチャートにしたがって勧告Ｖ３４のモデムモードをオンするかどうかの判断をしている。
操作パネル上で送信ボタンが押されてパネル制御回路１１が検出した短縮ダイヤル又はワンタッチダイヤルがメイン制御部１２に通知されると、短縮ダイヤル登録テーブル格納エリア２６、又はワンタッチダイヤル登録テーブル格納エリア２７から発呼ダイヤル及び当該ダイヤルの割り付けられている回線種別情報を制御用メモリ１４に展開して発呼動作の準備を開始する（ｓ１）。
【００４７】
はじめに、発呼する回線種別にオン機能が設定されているかどうかチェックする（ｓ２）。図６に回線種別の設定をチェックするためのフローチャートが示されている。制御用メモリ１４に展開した回線種別情報を基に発呼する回線種別を判断し、ビット設定エリア２４の該当回線種別にオン機能有のフラグが立っているかどうか判断する。オン機能有のフラグが立っていればＶ３４オン機能有と判断する（ｓ３）。オン機能有のフラグが立っていなければさらにオフ機能有のフラグが立っているか判断するが、これについてはＶ３４オフ機能のところで説明する。
【００４８】
今、発呼する回線にＶ３４オン機能が設定されていたものとする。自動発呼でかつＶ３４オン照合データが設定されていれば（ｓ３、ｓ４）、Ｖ３４オン照合データと発呼ダイヤルの先頭桁数を照合する（ｓ５）。図７にダイヤル照合のフローチャートが示されている。発呼ダイヤルの先頭の記号が０−９の数値でないときは、発呼ダイヤルのチェックポイントを先頭から下位に１桁ずらす。装置の設定によっては、発呼ダイヤルの先頭に＊などの記号を入れるものがあるが、このような場合は発呼ダイヤルのチェックポイントを発呼ダイヤルの先頭数字が現れるまでずらすことにより常に発呼ダイヤルの先頭位置を知ることができる。発呼ダイヤルの先頭からＶ３４オン照合データ登録桁数だけ取り出し、取り出した番号をＶ３４オン照合データと照合する。照合の結果、Ｖ３４オン照合データと一致すればモデムモードを勧告Ｖ３４に切替える。また、Ｖ３４オン照合データと一致しなければモデムモードは勧告Ｖ１７以下のままに維持する。
【００４９】
上記したＶ３４オン機能を搭載したファクシミリ装置によれば、勧告Ｖ３４で通信可能な回線に対する発呼ダイヤルのＶ３４オン照合データを登録することにより、勧告Ｖ３４で通信可能な回線に対する発呼があった場合にだけモデムモードを勧告Ｖ３４に切替えて通信できるので、勧告Ｖ３４の信号が通らない回線に対して勧告Ｖ３４モデムから発呼することによる通信エラーの発生を確実に防止できる。
【００５０】
勧告Ｖ３４で通信可能か否かは回線種別を認識しなくてもダイヤル照合だけで判断できるので、ビット設定エリア２４、２５を削除してステップｓ２の処理を行わないこととし、発呼する回線種別の設定をチェックせずにダイヤル照合だけで勧告Ｖ３４への切替えを判断するようにしてもよい。
【００５１】
また、Ｖ３４オン照合データを登録しなければ、発呼する回線種別の設定をチェックするだけでダイヤル照合することなく、勧告Ｖ３４へモデムモードを切替えることができる。そこで、Ｖ３４オン／オフ照合データ登録設定格納エリア２３を削除してステップｓ５の処理を行わないこととし、ダイヤル照合せずに回線種別の設定をチェックするだけで、勧告Ｖ３４への切替えを判断するようにしてもよい。
【００５２】
また、上記したＶ３４オン機能を搭載したファクシミリ装置によれば、回線種別の設定チェックとダイヤル照合の二重チェックをかけるので、内線等のある回線種別に割り付けられた電話番号のうち一部の電話番号だけが勧告Ｖ３４のモデムモードで通信可能な場合、勧告Ｖ３４のモデムを搭載した一部のファクシミリ装置のダイヤル番号（一部又は全部）をＶ３４オン照合データとして登録し、かつ内線の回線種別にオン機能を設定することにより、同一の回線種別に勧告Ｖ１７と勧告Ｖ３４のファクシミリ装置が同時に割り付けられていても、勧告Ｖ３４のファクシミリ装置に対してだけは勧告Ｖ３４で通信できる。
【００５５】
また、オン機能側ビット設定エリア２４にＶ３４オン機能の有無とは別にダイヤル照合の有無を設定できるようにする。ある回線種別（例えば内線）は割り付けられている全ての発呼ダイヤルで勧告Ｖ３４によるファクシミリ通信が可能である場合に、そのような回線種別にＶ３４オン機能有でダイヤル照合無を設定することで、不要なダイヤル照合の処理を省くことができる。
【００５６】
次に、上記ファクシミリ装置に備えたＶ３４オフ機能について説明する。
Ｖ３４オン／オフ照合データ登録設定格納エリア２３のＶ３４オフ照合データ登録桁数格納エリアに桁数を設定し、Ｖ３４オフ照合データ格納エリアに設定桁数に応じたＶ３４オフ照合データを設定する。例えば、帯域が時分割多重されている回線に対する発呼ダイヤルの先頭数値（特番）が決まっているのであれば、その数値をＶ３４オフ照合データとして設定する。また、内線番号の一部に勧告Ｖ３４で通信できないエリアが有り、そのエリアが内線番号の先頭番号によって他の勧告Ｖ３４で通信できる内線番号と区別できる場合、勧告Ｖ３４で通信できないエリアの内線番号の先頭番号を設定する。
【００５７】
オフ機能側ビット設定エリア２５には、登録回線種別にＶ３４オフ機能の有無を設定する。例えば、内線に割り付けられた発呼ダイヤルは全て勧告Ｖ３４による信号が通らないのであれば、Ｖ３４オフ機能を有に設定する。また、ある回線種別に割り付けられた発呼ダイヤルのうち一部のみが勧告Ｖ３４による通信ができない場合も、Ｖ３４オフ照合データにより識別が可能であれば、Ｖ３４オフ機能を有に設定する。
【００５８】
図５乃至図７に示すフローチャートにしたがって勧告Ｖ３４のモデムモードをオフするかどうかの判断をする。
短縮ダイヤル又はワンタッチダイヤルがメイン制御部１２に通知されると、図６に示すフローチャートにしたがって発呼する回線種別にオフ機能が設定されているかどうかチェックする（ｓ２）。オフ機能側ビット設定エリア２５をチェックして発呼する回線種別にＶ３４オフ機能有が設定されていれば、Ｖ３４オン／オフ照合データ登録設定格納エリアに、Ｖ３４オフ照合データが設定されているか又はオフ照合使用設定格納エリアにオフ照合使用のフラグが立てられているかどうか判定する（ｓ７）。
【００５９】
Ｖ３４オフ照合データが設定されていて自動発呼の場合は（ｓ８）、Ｖ３４オフ照合データと発呼ダイヤルとを照合する（ｓ９）。図７のフローチャートにしたがってダイヤル照合を行い、Ｖ３４オフ照合データと一致した場合（ｓ１０）に勧告Ｖ３４のモデムモードをオフして勧告Ｖ１７以下のモデムモードに切替える。
【００６０】
また、ステップｓ１０の判定において  Ｖ３４オフ照合データと発呼ダイヤルとが一致しなかった場合は、オフ照合使用のフラグが設定がされていないことを条件に勧告Ｖ３４のモデムモードでの通信を維持する（ｓ１１）。オフ照合使用のフラグが設定されている場合は、当該発呼回線に関するオフ照合データがＶ３４オン照合データ格納エリアに格納されている可能性がある。そこで、Ｖ３４オン照合データ格納エリアに設定されているオン照合データ（実際はＶ３４オフ照合データ格納エリアのＶ３４オフ照合データと同義）と発呼ダイヤルとを照合する（ｓ１２）。Ｖ３４オフ照合データ格納エリアにメモリ資源の制限でＶ３４オフ照合データを設定しきれない場合に、Ｖ３４オフ照合データの一部をＶ３４オン照合データ格納エリアに格納している。そして、ステップｓ１３の処理で一致していないと判断したときにはステップｓ１０での判断結果と同様に勧告Ｖ３４のモデムモードでの通信を維持することになる。一方、ステップｓ１３の処理で一致していると判断したときＶ３４オフ機能により勧告Ｖ３４のモデムモードをオフして勧告Ｖ１７以下のモデムモードに切替える。
【００６１】
上記したＶ３４オフ機能を搭載したファクシミリ装置によれば、勧告Ｖ３４の信号が通らない回線に対する発呼ダイヤルのＶ３４オフ照合データを登録することにより、勧告Ｖ３４の信号が通らない回線に対する発呼があった場合にだけ勧告Ｖ３４のモデムモードをオフして通信できるので、勧告Ｖ３４の信号が通らない回線に対して勧告Ｖ３４モデムから発呼することによる通信エラーの発生を確実に防止できる。
【００６２】
また、回線種別の設定チェックとダイヤル照合の二重チェックをかけるので、ある回線種別に割り付けられた電話番号のうち一部の電話番号だけが勧告Ｖ３４のモデムモードで通信できない場合、勧告Ｖ３４の信号が通らない回線上の存在するファクシミリ装置のダイヤル番号（一部又は全部）をＶ３４オフ照合データとして登録し、かつ内線の回線種別にオフ機能を設定することにより、同一の回線種別に勧告Ｖ１７と勧告Ｖ３４のファクシミリ装置が同時に割り付けられていても、勧告Ｖ３４以外のファクシミリ装置に対してだけは勧告Ｖ３４のモデムモードをオフして通信できる。
【００６３】
なお、勧告Ｖ３４の信号が通らない回線は回線種別を認識しなくてもダイヤル照合だけで判断できるので、ビット設定エリア２４、２５を削除してステップｓ２の処理を行わないこととし、発呼する回線種別の設定をチェックせずにダイヤル照合だけで勧告Ｖ３４のモデムモードをオフするかどうかの判断を行ってもよい。
【００６４】
また、Ｖ３４オフ照合データを登録しなければ、発呼する回線種別の設定をチェックするだけでダイヤル照合することなく、勧告Ｖ３４のモデムモードをオフすることができる。そこで、Ｖ３４オン／オフ照合データ登録設定格納エリア２３を削除してステップｓ９の処理を行わないこととし、ダイヤル照合せずに回線種別の設定をチェックするだけで、勧告Ｖ３４のモデムモードをオフするかどうか判断するようにしてもよい。
【００６５】
また、オフ機能側ビット設定エリア２５にＶ３４オフ機能の有無とは別にダイヤル照合の有無を設定できるようにする。ある回線種別（例えば内線）は割り付けられている全ての発呼ダイヤルで勧告Ｖ３４による通信ができない場合に、そのような回線種別にＶ３４オフ機能有でダイヤル照合無を設定することで、不要なダイヤル照合の処理を省くことができる。
【００６６】
次に上記ファクシミリ装置に備えたＶ３４オン／オフ機能について説明する。Ｖ３４オン／オフ機能とは、Ｖ３４オン機能とＶ３４オフ機能とを同時に動作させることのできる機能のことである。オン機能側ビット設定エリア２４とオフ機能側ビット設定エリア２５とで同一回線種別にＶ３４オン機能とＶ３４オフ機能とを設定できないことを除けば、上述したＶ３４オン機能及びＶ３４オフ機能と同様に動作する。
【００６７】
Ｖ３４オン／オフ機能を搭載したファクシミリ装置によれば、複数の回線種別を登録可能な場合に、ある回線種別については勧告Ｖ３４のモデムモードを主体とした通信を行い、又ある回線種別については勧告Ｖ１７モデムモードを主体とした通信を行いたいときに、それぞれの回線種別の特性に合わせて勧告Ｖ３４のモデムモードのオン機能またはオフ機能の設定が可能になる。
【００６８】
【発明の効果】
以上詳記したように、本発明によれば、勧告Ｖ３４モデムをオフにする通信を最小限に留めることにより、勧告Ｖ３４モデムの特性を可能な限り活用することのできるファクシミリ装置を提供できる。
【図面の簡単な説明】
【図１】本発明の実施の形態に係るファクシミリ装置の機能ブロック図である。
【図２】図１のファクシミリ装置に備えた登録データ格納メモリの構成図である。
【図３】短縮ダイヤル登録テーブルの構成図である。
【図４】制御用メモリのデータ展開状態を示す図である。
【図５】Ｖ３４オン／オフ判定メイン処理のフローチャートである。
【図６】発呼回路種別の設定状態をチェックするフローチャートである。
【図７】発呼ダイヤルのダイヤル照合のフローチャートである。
【図８】Ｖ３４オフ機能の動作例を示す図である。
【図９】専用線及び公衆回線網で接続された拠点間で行うファクシミリ通信の説明図である。
【符号の説明】
１１  パネル制御部
１２  メイン制御部
１３  登録データ格納メモリ
１４  制御用メモリ
１６  モデム
１７  読取／記憶制御回路
２１  Ｇ３オプション基板
２２  Ｇ４オプション基板
２３  Ｖ３４オン／オフ照合データ登録設定格納エリア
２４  オン機能側ビット設定エリア
２５  オフ機能側ビット設定エリア
２６  短縮ダイヤル登録テーブル格納エリア
２７  ワンタッチダイヤル登録テーブル
【図１】
0003914604.tif 000002
【図２】
0003914604.tif 000003
【図３】
0003914604.tif 000004
【図４】
0003914604.tif 000005
【図５】
0003914604.tif 000006
【図６】
0003914604.tif 000007
【図７】
0003914604.tif 000008
【図８】
0003914604.tif 000009
【図９】
0003914604.tif 000010